(57)【要約】【課題】表示手段上に物が置かれたらその物を検出し、表示位置や表示形態を変更できる表示制御装置及びその制御方法を提供する。【解決手段】表示面を有するディスプレイ５と、ディスプレイ５上の表示阻害要因がある表示阻害領域を検出する阻害要因検知部３と、前記表示阻害領域を検出した場合に表示内容の領域を該表示阻害領域外の表示可能領域に移動させる移動処理手段（ＣＰＵ７）と、前記移動処理手段により移動した表示内容を前記表示阻害領域を避けて表示する表示制御手段（ＣＰＵ７）と、を備える【選択図】  図２
2004271866.tif 000002
【特許請求の範囲】
【請求項１】
表示面を有する表示手段と、
前記表示面上の表示阻害要因がある表示阻害領域を検出する検出手段と、
前記表示阻害領域を検出した場合に表示内容の領域を該表示阻害領域外の表示可能領域に移動させるための処理を行う移動処理手段と、
前記移動処理手段により移動処理された表示内容を前記表示阻害領域を避けて表示する表示制御手段と、
を備えることを特徴とする表示装置。
【請求項２】
表示装置上の表示阻害要因を避けて表示を行う表示装置の制御方法であって、
前記表示装置上に表示阻害要因がある場合に、該表示阻害要因がある表示阻害領域を検出し、
前記表示阻害領域を検出した場合に表示内容の領域を該表示阻害領域以外の表示可能領域に移動させるための処理を施し、
移動処理された前記表示内容を前記表示阻害領域を避けた領域に表示する、
ことを特徴とする表示装置の制御方法。
【請求項３】
表示装置の制御方法において、
表示面に表示内容を表示する工程と、
該表示面上にある表示阻害要因を検出する工程と、
該表示阻害要因がある表示阻害領域に応答して表示可能領域を特定し、そこに前記表示内容を移動表示させる工程と、
を含むことを特徴とする表示装置の制御方法。
【発明の詳細な説明】
【０００１】
【発明の属する技術分野】
本発明は、表示面を水平に配置して用いる表示装置及び表示装置の制御方法に関する。
【０００２】
【従来の技術】
打ち合わせの支援としてテーブル状に収納された表示画面が水平に配置されている装置において、電子ペン等を使って任意の位置で電子資料を表示できるような装置が提案されている。
【０００３】
【発明が解決しようとする課題】
従って、上記技術の背景によれば、表示画面が収納されているテーブルの上で一般的に資料や道具などを使って作業したり、打ち合わせをする場合、テーブルに物を置くとディスプレイ上に表示されている電子資料が隠れてしまったり、全てが見えなくなってしまう。
【０００４】
しかしながら、テーブルの上で資料や道具を使った状況は、多くの状況が想定される。例えば、テーブルを使って一人で作業したり、食事したりするときや複数の人がテーブルを囲んで作業や食事、対話したり、談笑したりするときにテーブル状に収納されたディスプレイ上に物が置かれたらその物を検出し、表示を阻害するものを避けて表示することができれば、表示画面を探さずに見たいときに見ることができる。
【０００５】
本発明は、上記の課題を解決するために、表示手段上に物が置かれたらその物を検出し、表示位置や表示形態を変更できる表示装置及びその制御方法を提供することを目的とする。
【０００６】
【課題を解決するための手段】
上記目的を達成するために本発明に係る表示装置にあっては、
表示面を有する表示手段と、
前記表示面上の表示阻害要因がある表示阻害領域を検出する検出手段と、
前記表示阻害領域を検出した場合に表示内容の領域を該表示阻害領域外の表示可能領域に移動させる移動処理手段と、
前記移動処理手段により移動した表示内容を前記表示阻害領域を避けて表示する表示制御手段と、
を備えることを特徴とする。
【０００７】
また、本発明に係る表示装置の制御方法にあっては、
表示装置上の表示阻害要因を避けて表示を行う表示装置の制御方法であって、
前記表示装置上に表示阻害要因がある場合に、該表示阻害要因がある表示阻害領域を検出し、
前記表示阻害領域を検出した場合に表示内容の領域を該表示阻害領域以外の表示可能領域に移動し、
移動した前記表示内容の領域を前記表示阻害領域を避けた領域に表示する、
ことを特徴とする。
【０００８】
また、本発明に係る表示装置の制御方法にあっては、
表示装置の制御方法において、
表示面に表示内容を表示する工程と、
該表示面上にある表示阻害要因を検出する工程と、
該表示阻害要因がある表示阻害領域に応答して表示可能領域を特定し、そこに前記表示内容を移動表示させる工程と、
を含むことを特徴とする。
【０００９】
上記構成によれば、表示装置上に表示阻害要因となる物が置かれた場合であっても、前記表示阻害要因がある表示阻害領域を検出し、表示内容（画像、映像）の領域を前記表示阻害領域外の表示可能領域に移動させ表示することができるので、表示阻害要因となる物に隠れた表示内容をユーザが見られる位置に、そのまま、或いは縮小、又は偏倍するなどして、表示方法を変更して、表示させることができる。
【００１０】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。また、以下の説明で一度説明した部材についての材質、形状などは、特に改めて記載しない限り初めの説明と同様のものである。
【００１１】
（第１の実施形態）
図１〜図６を参照して、本発明の第１の実施形態について説明する。
【００１２】
図１は、本実施形態に係る表示装置を構成する表示部の外観斜視図である。同図において、１はその上面が水平となるように配置されているテーブルであり、テーブル１の上面にはディスプレイ５が設けられている。表示装置は、物などが置かれたときの入力検出手段として、座標指示器を有している。
【００１３】
図２は、本実施形態に係る電子情報画像を表示する表示装置のシステム構成を示すブロック図である。
【００１４】
同図において、表示装置は、上述したディスプレイ５と、表示面内に内蔵された阻害要因検知部３と、座標指示を制御することができる回路を有している制御部４と、装置全体の制御を行う中央演算処理装置（ＣＰＵ）７と、後述する処理を実行するためのプログラムを予め格納する例えばリードオンリーメモリ（ＲＯＭ）やディスプレイ５に表示する画像データ等を一時的に格納するランダムアクセスメモリ（ＲＡＭ）等からなる記憶部２と、表示阻害物が表示面上に置かれたときに表示阻害要因として座標指示器により入力された情報を検知する阻害要因検知部３と、表示装置を他の装置やネットワークに接続するためのネットワークインターフェース６とから構成されている。
【００１５】
制御部４、ＣＰＵ７、記憶部２、ディスプレイ５、阻害要因検知部３及びネットワークインターフェース６は、バス１１ａを介して互いに接続されている。制御部４、ＣＰＵ７、記憶部２及びネットワークインターフェース６は、図１には図示していない表示装置の本体部に設けられている。表示装置は、ネットワークインターフェース６を介してローカルエリアワーク（ＬＡＮ）８に接続することが可能である。
【００１６】
阻害要因検知部３は、ディスプレイ５の表示面内に、その表示を阻害しないように設けられている。阻害要因検知部３に付設された不図示の座標指示器は、制御部４に搭載されている不図示の座標指示制御回路を介して阻害要因検知部３に接続されており、阻害要因検知部３に設けられた、表示阻害物の接触検知スイッチがオンになると、不図示の発振回路によりＸ軸コイル群及びＹ軸コイル群の所定のコイルに誘導電圧を発生させる。そして、発生した誘導電圧をＸ軸受信回路及びＹ軸受信回路で検出し、この誘導電圧の振幅を比較演算し出力された周波数を認識することにより、表示阻害物の座標指示器の位置座標及び大きさを検出するように構成されている。
【００１７】
要するに、阻害要因検知部３は、不図示の座標指示器から出力された周波数を認識することにより、検知した表示阻害物が座標上でどの位置及びどのぐらいの大きさであるかを識別することができる。
【００１８】
ディスプレイ５は、テーブル使用者の全てがテーブルの上に物を置くことができる領域（表示阻害領域）と、各使用者がテーブルの上に物を置かれていないと定められた領域（表示可能領域）とを有する。
【００１９】
物が置かれている領域及び物が置いていない領域には、座標指示器を用いて直接、識別し、電子情報画像を表示可能領域に移動したり、あるいは座標指示器による識別を用いた操作によってＬＡＮ８に接続された他のコンピュータ（不図示）に格納されたファイルをその領域内に呼び出すことができる。座標指示器により入力された表示阻害物情報や他のコンピュータから読み出されたファイルの情報は、記憶部２に一時的に格納され、ＣＰＵ７の制御によりディスプレイ５に表示される。
【００２０】
図３は、上述した表示装置を用いてテーブル使用者は一人以上であり、テーブルの上で作業や対話や会議を行っている状態を示す説明図である。同図において、１３、１４、１５はテーブルを囲んだ使用者である。ディスプレイ５の表示面は、使用者がテーブルの上に物１１、１２が置かれている表示阻害領域９と物が置かれていない表示可能領域１０とに分割認識されている。
【００２１】
各領域の識別によりディスプレイ５の表示面において電子情報画像を描画されており、表示阻害物を避けて電子情報画像の移動処理を用いた操作により、その領域の位置を変更することができる。
【００２２】
各領域に関する情報（座標情報）は、記憶部２内に表示座標形式で格納されており、表示阻害物の座標入力識別子と対応付けられている。図４は、記憶部２に表示形式で格納されている座標情報の一例を示す図である。座標情報の１レコードは、領域の識別子と、その領域の形状を示す頂点の個数と、その各頂点の座標と、その領域が物の置かれている領域であるか、物の置かれていない領域であるかを示すフラグと、その領域に物が置かれている領域である場合に当該領域に入力されることができる表示阻害物を識別するための識別子とから構成されて識別機能が作動する。
【００２３】
テーブル使用者が物を置くことでディスプレイ５の表示面上に接触させると、阻害要因検知部３により、その接触された位置の座標を含む領域の座標情報が取得される。ＣＰＵ７は、この座標に基づいて記憶部２を検索し、接触された位置の座標を含む領域の座標情報を取得する。取得された座標情報は、ＣＰＵ７に送られる。ＣＰＵ７は、その座標情報を参照して、検出された位置の座標が含まれる領域が表示阻害領域に識別された領域即ち物が置かれた領域であると判別する。検知された座標が物の置かれた領域と判別した場合は、座標指示入力は有効とされ、ＣＰＵ７は、物が置かれていない領域即ち表面上に表示阻害物が接触していない領域に電子情報画像を移動させて描画したり、縮小して描画を表示したりする。また、検知された座標が物の置かれている領域の場合は、この入力は無効となり、表示を消すことになる。
【００２４】
図５は、利用者が物を表示面上に置いた領域と表示面内に具備された座標指示器との対応付けを行う手順を示すフローチャートである。ここでは、座標指示器を使用するテーブル利用者が表示面上に物を置いたときのその領域を判別して表示する場合と表示を消す場合について説明する。
【００２５】
初期状態では、記憶部２内の座標情報には、図３に示した表示面上に物を置いた領域及び物を置いていない領域に識別できるように、ディスプレイ５の表示領域における全座標点である位置座標が格納されている。また、表示面上に物を置かれていない領域に関する座標情報にはその領域が表示阻害領域以外（表示可能領域）であることを示すフラグが付されている。なお、初期状態において、表示阻害領域に関する座標情報にはその領域が表示阻害領域であるというフラグが付されている。
【００２６】
この状態で、例えば、テーブル使用者１３がディスプレイ５上に物を置いて表示阻害領域として表示面上に阻害物を接触させると、その阻害物を前記座標指示器による入力が阻害要因検知部３により検知され（ステップＳ１）、座標指示器による入力があったこと及びその位置に座標が含まれる領域の座標情報がＣＰＵ７に送られる。ＣＰＵ７は、入力が検知された座標指示器で識別された表示阻害領域が既に存在するか否かを、送られてきた座標情報に基づいて判別し（ステップＳ２）、検知された表示阻害領域が小さくて存在に値しないと判別された場合は本手順が終了される。また、検知された表示阻害領域が大きくて存在に値すると判別された場合は、表示阻害領域９に関する情報の識別子（図４）として座標指示器を示す識別子が登録される（ステップＳ３）。
【００２７】
本表示装置に備えられた阻害要因検知と表示阻害領域との対応付けが終了すると、ディスプレイ５の表示可能領域１０は、どの領域でも表示できる表示画面で具備しているが、テーブル使用者により表示面上に物が置かれた表示阻害領域については、その表示阻害領域を検知するための阻害要因検知部３を用いた場合に表示阻害領域以外へ描画を移動することが行われる。
【００２８】
図６は、表示阻害領域への座標指示入力による検知情報から制限を行う処理手順を示すフローチャートである。
【００２９】
テーブル使用者が物を置くときにディスプレイ５の表示面上に阻害物を接触させると、座標指示器を用いて入力があったことが阻害要因検知部３により検知され（ステップＳ１１）、その接触が検知された大きさの座標が含まれる領域の座標情報がＣＰＵ７により取得され（ステップＳ１２）、その座標情報に基づいて、座標指示器の入力があった大きさが表示阻害領域及び表示阻害領域以外を認識して判別される（ステップＳ１３）。ここで、座標指示器の入力があった大きさの範囲が表示阻害領域及び表示阻害領域以外のいずれにも値しない場合は、座標指示入力は無効と判断され、本手順が通常表示と決定される。
【００３０】
ステップＳ１３の判別で、座標指示器による入力があった大きさ情報として表示阻害領域を認識して判別された場合は、割り当てられた時間よりも長く物体が置かれているか否かが判別される（ステップＳ１４）。
【００３１】
ステップＳ１４の判別で、割り当てられた時間よりも長く物体が置かれていると表示阻害領域を認識して判別された場合は、その座標指示器の入力で検知した位置情報が表示領域以内であるか否かが判別される（ステップＳ１５）。
【００３２】
そして、表示阻害物体の入力があった位置と大きさの情報が表示領域を超えていると判別された場合は、表示機能をオフにして（ステップＳ１６）、表示を消す。
【００３３】
表示阻害物体の入力があった位置と大きさの情報が表示領域以内であると判別された場合は、その座標指示器による表示阻害物体の入力検知により検知された位置の座標が含まれる領域の座標情報がＣＰＵ７により取得され（ステップＳ１７）、表示面上に表示阻害物体が接触している表示領域以外に表示されている電子資料の描画やメニューを表示したりするという、電子情報画像の移動処理が行われ（ステップＳ１８）、表示阻害領域以外で電子情報画像が有効に表示できるか否かを判断される（ステップＳ１９）。
【００３４】
ステップＳ１９の判断で、表示阻害領域以外で電子情報画像が有効に表示できると判断された場合は、表示画像の移動機能をオンにして（ステップＳ２０）、電子情報画像の移動表示を行う。
【００３５】
表示阻害領域以外で電子情報画像が有効に表示できると判断されない場合は、電子情報画像の縮小処理が行われ（ステップＳ２１）、表示画像の移動及び縮小機能をオンにして（ステップＳ２２）、電子情報画像の移動及び縮小表示を行い、本手順において全てが終了される。
【００３６】
そして、必要に応じて、阻害要因検知部３が表示阻害物体の移動を検出すると、ステップＳ１１に戻って、再び動作を繰り返す。従って、表示可能な領域が存在する以上、表示阻害領域を検出し、それに応答して表示可能領域を特定し、そこに画像を表示するという、阻害要因の動き適応型の表示を行うことができる。
【００３７】
以上説明したように、本実施形態によれば、テーブル上面にディスプレイが設けられている表示装置では、表示阻害領域を検知して電子情報画像を表示阻害領域以外へ移動させて、必要に応じて縮小させて表示させる表示装置を実現することが可能になる。更に、表示阻害領域が表示領域の全体に及んだ場合には、表示を消させる表示装置も実現することが可能である。
【００３８】
（第２の実施形態）
次に本発明の第２の実施形態について、図７〜図１０を参照して説明する。なお、本実施形態に係る表示装置のシステム構成は、第１の実施形態の図２に示した構成と同様に表示阻害物を入力検知するものである。
【００３９】
図７は、本実施形態に係る表示装置を用いてテーブル上で作業を行っている状態を示す外観斜視図である。同図において、１０１は、その上面が水平となるように配置されているテーブルであり、テーブル１０１の上面にはディスプレイ１０５が設けられている。テーブル１０１の近傍には表示阻害要因検知部１０３が設けられている。表示阻害要因検知部１０３の入力手段としては、例えば、ＣＣＤセンサ付きカメラを使用した画像入力器１１６を常設して構成されている。
【００４０】
テーブル１０１上のディスプレイ１０５が存在している部分は、前述のカメラで表示阻害物が存在するか否かが検知されており、ディスプレイ１０５に制御指令を行うために配置されている。前述の入力手段として、赤外線センサをテーブル１０１の各辺に多数並べて構成してもよい。
【００４１】
図８は、本実施の形態に係る表示装置のシステム構成を示すブロック図である。同図において、表示装置は、上述したディスプレイ１０５、ＣＣＤ型又はＣＭＯＳ型のイメージセンサ付きカメラのような画像入力器１１６及び阻害要因検知部１０３と、その表示阻害物の画像入力を制御することができる回路を有している制御部１０４と、装置全体の制御を行う中央演算処理装置（ＣＰＵ）１０７と、後述する処理を実行するためのプログラムを予め格納する例えばリードオンリーメモリ（ＲＯＭ）やディスプレイ１０５に表示する画像データ等を一時的に格納するランダムアクセスメモリ（ＲＡＭ）等からなる記憶部１０２と、表示装置を他の装置やネットワークに接続するためのネットワークインターフェース１０６とから構成されている。
【００４２】
制御部１０４、ＣＰＵ１０７、記憶部１０２、ディスプレイ１０５、阻害要因検知部１０３、画像入力器１１６及びネットワークインターフェース１０６は、バス１０７ａを介して互いに接続されている。制御部１０４、ＣＰＵ１０７、記憶部１０２及びネットワークインターフェース１０６は、図７には図示していないが表示装置の本体部に設けられている。本表示装置は、ネットワークインターフェース１０６を介してローカルエリアネットワーク（ＬＡＮ）１０８に接続することが可能である。
【００４３】
阻害要因検知部１０３は、ディスプレイ１０５の表示面上に、その表示を阻害しないように設けられている。画像入力器１１６は、無線回線を介して阻害要因検知部１０３に接続されており、画像入力器１１６は画像処理により異なる周波数のエッジ抽出を出力するように構成されている。阻害要因検知部１０３は、画像入力器１１６から出力された周波数を認識することにより、検知した表示阻害物がどの場所でどのぐらいの面積であるかを判断することができる。このテーブル使用者は、テーブルの上に物を置いて作業したり、食事をしたりする場合にディスプレイ１０５上に表示されていたドキュメントをディスプレイ１０５上の後述する表示阻害物領域以外の領域に移動することができる。
【００４４】
前もって入力された情報ファイルや他のコンピュータ（不図示）から呼び出されたファイルの情報は、記憶部１０２に一時的に格納され、ＣＰＵ１０７の制御によりディスプレイ１０５上の後述する表示阻害物領域以外の領域に表示される。
【００４５】
阻害要因検知部１０３は、装置の電源がオンされるとともにテーブル１０１上の状態の監視を開始し、テーブル１０１上のどこに物が置いてあるかを検知する。
【００４６】
上記構成において、テーブル使用者がテーブル１０１を使って食事をすることに先立って、表示装置のテーブルに皿を置いて表示阻害物領域が存在した時に、阻害要因検知部１０３により阻害物として検知した皿の位置、大きさ、置き始めてからの時間がＣＰＵ１０７に送られる。ＣＰＵ１０７は、送られてきた皿の位置、大きさ、置き始めてからの時間に基づいて、ディスプレイ１０５の表示領域を定めて表示されていたドキュメントを移動させる。
【００４７】
図９は、ディスプレイ１０５上に開かれたウインドウの形態の一例を示す説明図である。同図に示すように、ディスプレイ１０５上に開かれたウインドウ上部には、ウインドウの表示操作をするための画像認識機能を有するカメラが設置され、テーブル上の表示阻害領域を避けて電子情報画像を表示するコントロール領域が設けられている。
【００４８】
同図においては、上述した表示装置を用いてテーブル使用者は一人以上であり、テーブルの上で食事を行っている状態を示す説明図である。同図において、１１３、１１４、１１５はテーブルを囲んだ使用者である。ディスプレイ１０５の表示面は、使用者がテーブルの上に物１１１、１１２が置かれている表示阻害領域１０９と物が置かれていない表示可能領域１１０とに分割認識されている。各領域の識別によりディスプレイ１０５の表示面において電子情報画像を描画されており、表示阻害物を避けて電子情報画像の移動処理を用いた操作により、その領域の位置を変更することができる。
【００４９】
次に、テーブル使用者がテーブル上にディスプレイを内蔵した表示面上を使って食事をする場合について説明する。図１０は、レストランのテーブル使用者が食事をした時に、皿を表示面上に置いた場合の表示可能領域分割識別を示すフローチャートである。
【００５０】
阻害要因検知部１０３は、画像入力器１１６を通して常にテーブル１０１近傍でテーブルの表示面上の状態を監視している（ステップＳ１０１）。
【００５１】
この状態で、表示領域が物を置かれているか否かが判別され（ステップＳ１０２）、その画像情報に基づいて、画像入力器１１６の画像入力があった大きさが表示阻害領域及び表示阻害領域以外を認識して判別される（ステップＳ１０３）。ここで、画像入力器１１６の画像入力があった大きさの範囲が表示阻害領域及び表示阻害領域以外のいずれにも値しない場合は、画像入力は無効と判断され、本手順が通常表示と決定される。
【００５２】
ステップＳ１０３の判別で、画像入力器１１６による画像入力があった大きさ情報として表示阻害領域を認識して判別された場合は、割り当てられた時間よりも長く物体が置かれているか否かが判別される（ステップＳ１０４）。
【００５３】
ステップＳ１０４の判別で、割り当てられた時間よりも長く物体が置かれていると表示阻害領域を認識して判別された場合は、その画像入力器１１６の画像入力で検知した画像の位置情報が表示領域以内であるか否かが判別される（ステップＳ１０５）。
【００５４】
そして、表示阻害物体の画像入力があった位置と大きさの情報が表示領域を超えていると判別された場合は、表示機能をオフにして（ステップＳ１０６）、表示を消す。
【００５５】
表示阻害物体の入力があった位置と大きさの情報が表示領域以内であると判別された場合は、その画像入力器１１６による表示阻害物体の入力検知により検知された画像の位置が含まれる領域の画像情報がＣＰＵ１１により取得され（ステップＳ１０７）、表示面上に表示阻害物体が接触している表示領域以外に表示されている電子資料の描画やメニューを表示したりするという、電子情報画像の移動処理が行われ（ステップＳ１０８）、表示阻害領域以外で電子情報画像が有効に表示できるか否かを判断される（ステップＳ１０９）。
【００５６】
ステップＳ１０９の判断で、表示阻害領域以外で電子情報画像が有効に表示できると判断された場合は、表示画像の移動機能をオンにして（ステップＳ１１０）、電子情報画像の移動表示を行う。
【００５７】
表示阻害領域以外で電子情報画像が有効に表示できると判断されない場合は、電子情報画像の縮小処理が行われ（ステップＳ１１１）、表示画像の移動及び縮小機能をオンにして（ステップＳ１１２）、電子情報画像の移動及び縮小表示を行い、本手順において全てが終了される。
【００５８】
そして、必要に応じて、画像入力器１１６の信号より阻害要因検知部３が表示阻害物体の移動を検出すると、ステップＳ１０１に戻って、再び動作を繰り返す。従って、表示可能な領域が存在する以上、表示阻害領域を検出し、それに応答して表示可能領域を特定し、そこに適した大きさで画像を表示するという、阻害要因の動き及び大きさ適応型の表示を行うことができる。
【００５９】
以上説明したように、本実施形態によれば、ディスプレイ１０５の表示面における全体の内で表示阻害領域以外に電子情報画像の同じ描画を表示するために、テーブル上の状態を検知して表示阻害領域以外を適切に自動的に特定し、そこに画像を表示するができる。また、テーブル上に表示阻害物が増減乃至移動した場合であっても表示可能領域の再設定を容易に行うことができる。
【００６０】
（第３の実施形態）
次に、本発明の第３の実施形態について、図１１〜図１３を参照して説明する。なお、本実施形態に係る表示装置のシステム構成は、第１の実施形態の図２又は、第２の実施形態の図８に示した構成と同様である。
【００６１】
図１１は、本実施形態に係る表示装置を用いて食事をしながらテーブル２０１上での対話を行っている状態を示す外観斜視図である。同図において、情報は、ディスプレイ２０５上に開かれるウインドウ上に表示される。図１１におけるウインドウは表示阻害物として皿が置かれている表示阻害領域とその他のウインドウは表示可能領域として使用されるウインドウである。
【００６２】
図１２は、ディスプレイ２０５上に開かれるウインドウ上に表示される電子資料の描画やメニューの表示内容を変更して表示することを可能にする表示装置のシステム構成を示すブロック図である。
【００６３】
同図において、表示装置は、上述したディスプレイ２０５、上述したウインドウ上に表示される電子資料の描画やメニューの表示内容を変更して表示することを可能にする制御パネル２１７、ＣＣＤセンサ付きカメラを有する画像入力器２１６及び阻害要因検知部２０３と、その表示阻害物の画像入力を制御することができる回路を有している制御部２０４と、装置全体の制御を行う中央演算処理装置（ＣＰＵ）２０７と、後述する処理を実行するためのプログラムを予め格納する例えばリードオンリーメモリ（ＲＯＭ）やディスプレイ２０５に表示する画像データ等を一時的に格納するランダムアクセスメモリ（ＲＡＭ）等からなる記憶部２０２と、表示装置を他の装置やネットワークに接続するためのネットワークインターフェース２０６とから構成されている。
【００６４】
制御パネル２１７、制御部２０４、ＣＰＵ２０７、記憶部２０２、ディスプレイ２０５、阻害要因検知部２０３、ＣＣＤ型又はＣＭＯＳ型のイメージセンサ付きカメラのような画像入力器２１６及びネットワークインターフェース２０６は、バス２０７ａを介して互いに接続されている。
【００６５】
制御部２０４、ＣＰＵ２０７、記憶部２０２及びネットワークインターフェース２０６は、図１１には図示していないが表示装置の本体部に設けられている。本表示装置は、ネットワークインターフェース２０６を介してローカルエリアネットワーク（ＬＡＮ）２０８に接続することが可能である。
【００６６】
まず、テーブル使用者は、ディスプレイ２０５上のウインドウで皿や物が置かれて表示阻害領域が存在すると今まで表示されていた電子資料の描画やメニューが隠れて見えなくなってしまう。しかし、お勧めメニューや追加メニューなどを表示するために表示可能領域へ表示阻害物を認識して判別されたときに電子情報画像の移動及び縮小処理により表示できるように設定することができる。
【００６７】
開かれたウインドウについては、記憶部２０２に、予め用意しておいた電子資料の画像情報が作成されており、格納されている。ＣＰＵ２０７は、表示阻害物として検知された入力操作があった場合に、この検知情報を判別することにより、その操作が入力検知により操作可能な表示可能領域で該電子資料の画像情報を表示させることができるものであるか否かを判別することができる。
【００６８】
図１３は、テーブル使用者２１３、２１４、２１５がおり、ディスプレイ２０５上に開かれたウインドウの内容が表示阻害要因物２１１、２１２によって表示内容を変更して表示阻害領域２０９から表示可能領域２１０に表示する一例を示す説明図である。同図に示すように、ディスプレイ２０５上に開かれたウインドウ上部には、表示内容を変更する操作を行うためのメニューやボタン２１８を表示するコントロール領域としての制御パネル２１７が設けられていてもよい。コントロール領域を有する制御パネル２１７には、ウインドウを閉じるためのボタン、及び、ウインドウの属性をお勧め情報や追加メニュー情報に電子資料の画像情報として切り換えるための切り換えボタン２１８などが設けられていてもよい。
【００６９】
以上説明したように、本実施形態によれば、ディスプレイ２０５の表示面の全体を表示阻害領域以外に同じ描画を表示する代わりに別の内容を伝達できる電子情報画像を表示できる。しかも、第１の実施形態又は第２の実施形態と同様にテーブル上で表示阻害要因物を避けて電子情報画像を表示可能領域に表示することができる表示装置を実現することができ、また、ディスプレイ２０５の任意の位置に、任意の大きさを有する領域として表示内容を変えて設定することが可能となる。
【００７０】
（他の実施形態）
更に、本発明の機能が実行されるのであれば、表示装置が単体の機器であっても、複数の機器から構成するシステムであっても、ＬＡＮなどのネットワークを介して処理が行われるシステムであっても本発明を適用できる。
【００７１】
また、上述した実施形態の機能を実現するソフトウェアのプログラムコードを記録した記憶媒体を表示装置又は表示システムに供給し、その装置又はシステムのコンピュータ（又はＣＰＵ、ＭＰＵ）が記憶媒体に格納されたプログラムコードを読み出し実行することによっても、本発明の目的が達成させることができる。
【００７２】
この場合、記憶媒体から読み出されたプログラムコード自体が本発明の新規な機能を実現することになり、そのプログラムコードを記憶した記憶媒体は本発明の表示装置を構成する重要な要素になる。
【００７３】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリーカード、ＲＯＭなどを用いることができる。
【００７４】
また、コンピュータが読み出したプログラムコードを実現することにより上述した実施形態の機能が実現されるだけでなく、そのプログラムコードの指示に基づいて、コンピュータ上で稼動しているＯＳなどが実際の処理の一部又は全部を行い、その処理によって前述した実施形態の機能が実現される場合も含まれる。
【００７５】
更には、記憶媒体から読み出されたプログラムコードが、コンピュータに挿入された機能拡張ボードやコンピュータに接続された機能拡張ユニットに備わるメモリに書き込まれた後、そのプログラムコードの指示に基づいて、その機能拡張ボードや機能拡張ユニットに備わるＣＰＵなどが実際の処理の一部又は全部を行い、その処理によって前述した実施形態の機能が実現される場合も含まれる。
【００７６】
また、本発明の実施の形態には、次の実施態様も含まれる。
【００７７】
［実施態様１］
表示面を有する表示手段と、
前記表示面上の表示阻害要因がある表示阻害領域を検出する検出手段と、
前記表示阻害領域を検出した場合に表示内容の領域を該表示阻害領域外の表示可能領域に移動させるための処理を行う移動処理手段と、
前記移動処理手段により移動処理された表示内容を前記表示阻害領域を避けて表示する表示制御手段と、
を備えることを特徴とする表示装置。
【００７８】
上記構成によれば、表示装置上に表示阻害要因となる物が置かれた場合であっても、前記表示阻害要因がある表示阻害領域を検出し、表示内容の領域を前記表示阻害領域外の表示可能領域に移動させ表示することができるので、移動がない場合には表示阻害要因となる物に隠れてしまうであろう表示内容をユーザが見られる位置に表示させることができる。
【００７９】
［実施態様２］
前記表示可能領域が移動前の前記表示内容の領域より小さい場合、該表示内容の領域を縮小させる縮小処理手段を備えることを特徴とする実施態様１に記載の表示装置。
【００８０】
上記構成によれば、表示可能領域が移動前の表示内容の領域より小さい場合であっても、表示内容の領域を縮小させることで、縮小しない場合には表示阻害要因となる物に隠てしまうような大きさの画像であっても、それを表示させることができる。
【００８１】
［実施態様３］
前記表示制御手段は、前記検出手段が前記表示阻害領域を検出した場合、前記表示内容を変更して表示させることができることを特徴する実施態様１又は２に記載の表示装置。
【００８２】
上記構成によれば、前記検出手段が前記表示阻害領域を検出した場合に、例えば、前記表示阻害領域の大きさに応じて電子資料の内容を変更して表示させることができる。
【００８３】
［実施態様４］
前記検出手段が前記表示阻害領域を検出した時間が基準値より短い場合に前記移動手段による表示内容の領域の移動を行わないことを特徴とする実施態様１乃至３のいずれかに記載の表示装置。
【００８４】
上記構成によれば、表示画面上の前記検出手段が前記表示阻害領域を検出した時間が基準値より短い場合は、表示内容の領域の移動を行わないことで、表示に支障のない短時間の表示阻害要因による表示内容の領域の無駄な移動をしないですむ。よって、表示内容（画像）が不本意に移動することを防止できる。
【００８５】
［実施態様５］
前記検出手段が検出した前記表示阻害領域の面積が基準値より小さい場合に前記移動手段による表示内容の領域の移動を行わないことを特徴とする実施態様１乃至３のいずれかに記載の表示装置。
【００８６】
上記構成によれば、前記検出手段が検出した前記表示阻害領域の面積が基準値より小さい場合は、表示内容の領域の移動を行わないことで、表示に支障のない小面積の表紙阻害要因による表示内容の領域の無駄な移動をしないですむ。
【００８７】
［実施態様６］
前記検出手段が検出した前記表示阻害領域の面積が基準値より大きい場合に前記表示内容を消去する消去手段を備えることを特徴とする実施態様１乃至５のいずれかに記載の表示装置。
【００８８】
上記構成によれば、前記検出手段が検出した前記表示阻害領域の面積が基準値より大きい場合に前記表示内容を消去することで、表示阻害領域に隠された表示領域の無駄な表示を防ぐことができる。
【００８９】
［実施態様７］
表示装置上の表示阻害要因を避けて表示を行う表示装置の制御方法であって、前記表示装置上に表示阻害要因がある場合に、該表示阻害要因がある表示阻害領域を検出し、
前記表示阻害領域を検出した場合に表示内容の領域を該表示阻害領域以外の表示可能領域に移動し、
移動した前記表示内容の領域を前記表示阻害領域を避けた領域に表示する、
ことを特徴とする表示装置の制御方法。
【００９０】
上記構成によれば、表示装置上に表示阻害要因となる物が置かれた場合であっても、前記表示阻害要因がある表示阻害領域を検出し、表示内容の領域を前記表示阻害領域外の表示可能領域に移動させ表示することができるので、表示阻害要因となる物に隠れた表示内容をユーザが見られる位置に表示させることができる。
【００９１】
［実施態様８］
前記表示可能領域が移動前の前記表示内容の領域より小さい場合、該表示内容の領域を縮小させることを特徴とする実施態様７に記載の表示装置の制御方法。
【００９２】
上記構成によれば、表示可能領域が移動前の表示内容の領域より小さい場合であっても、表示内容の領域を縮小させることで、表示阻害要因となる物に隠れた表示内容を表示させることができる。
【００９３】
［実施態様９］
前記表示阻害領域を検出した場合、前記表示内容を変更して表示させることができることを特徴する実施態様７又は８に記載の表示装置の制御方法。
【００９４】
上記構成によれば、前記検出手段が前記表示阻害領域を検出した場合に、例えば、前記表示阻害領域の大きさに応じて電子資料の内容を変更して表示させることができる。
【００９５】
［実施態様１０］
前記表示阻害領域を検出した時間が基準値より短い場合に前記表示内容の領域の移動を行わないことを特徴とする実施態様７乃至９のいずれかに記載の標示装置。
【００９６】
上記構成によれば、表示画面上の前記検出手段が前記表示阻害領域を検出した時間が基準値より短い場合は、表示内容の領域の移動を行わないことで、表示に支障のない短時間の表示阻害要因による表示内容の領域の無駄な移動をしないですむ。
【００９７】
［実施態様１１］
検出した前記表示阻害領域の面積が基準値より小さい場合に表示内容の領域の移動を行わないことを特徴とする実施態様７乃至９のいずれかに記載の表示装置の制御方法。
【００９８】
上記構成によれば、前記検出手段が検出した前記表示阻害領域の面積が基準値より小さい場合は、表示内容の領域の移動を行わないことで、表示に支障のない小面積の表紙阻害要因による表示内容の領域の無駄な移動をしないですむ。
【００９９】
［実施態様１２］
検出した前記表示阻害領域の面積が基準値より大きい場合に前記表示内容を消去することを特徴とする実施態様７乃至１１のいずれかに記載の表示装置の制御方法。
【０１００】
上記構成によれば、前記検出手段が検出した前記表示阻害領域の面積が基準値より大きい場合に前記表示内容を消去することで、表示阻害領域に隠された表示領域の無駄な表示を防ぐことができる。
【０１０１】
そして、必要に応じて、阻害要因検知部が表示阻害物体の移動を検出することにより、再び表示阻害領域の検出と、表示可能領域の特定と、そこへの画像表示を行えば、表示可能な領域が存在する以上、その領域を検出して、そこに画像を表示するという、阻害要因の動き適応型の表示を行うこともできる。
【０１０２】
［実施態様１３］
表示装置の制御方法において、
表示面に表示内容を表示する工程と、
該表示面上にある表示阻害要因を検出する工程と、
該表示阻害要因がある表示阻害領域に応答して表示可能領域を特定し、そこに前記表示内容を移動表示させる工程と、
を含むことを特徴とする表示装置の制御方法。
【０１０３】
【発明の効果】
以上説明したように、本発明によれば、表示装置上に表示阻害要因となる物が置かれた場合であっても、前記表示阻害要因がある表示阻害領域を検出し、表示内容の領域を前記表示阻害領域外の表示可能領域に移動させ表示することができるので、表示阻害要因となる物に隠れた表示内容をユーザが見られる位置に表示させることができる。
【図面の簡単な説明】
【図１】本発明の第１実施形態に係る表示装置を構成する表示部の外観斜視図である。
【図２】本発明の第１実施形態に係る電子情報画像を表示する表示装置のシステム構成を示すブロック図である。
【図３】表示装置を用いてテーブルの上で作業や対話をしている状態を示す説明図である。
【図４】記憶部２に座標形式で格納されている座標情報の一例を示す図である。
【図５】利用者が物を表示面上に置いた領域と表示面内に具備された座標指示器との対応付けを行う手順を示すフローチャートである。
【図６】表示阻害領域への座標指示入力による検知情報から制限を行う処理手順を示すフローチャートである。
【図７】本発明の第２実施形態に係る表示装置を用いてテーブル上で作業を行っている状態を示す外観斜視図である。
【図８】本発明の第２実施形態に係る表示装置のシステム構成を示すブロック図である。
【図９】ディスプレイ１０５上に開かれたウインドウの形態の一例を示す説明図である。
【図１０】本発明の第２の実施形態に係る表示装置を用いて、テーブル使用者が食事をした時に、皿を表示面上に置いた場合の表示可能領域分割識別することを示すフローチャートである。
【図１１】本発明の第３の実施形態に係る表示装置を構成する表示部の外観斜視図である。
【図１２】本発明の第３の実施形態に係る表示装置のシステム構成を示すブロック図である。
【図１３】ディスプレイ２０５上に開かれたウインドウの内容が表示阻害要因物によって表示内容を変更して表示可能領域に表示する一例を示す説明図である。
【符号の説明】
１、１０１、２０１  テーブル
２、１０２、２０２  記憶部
３、１０３、２０３  阻害要因検知部（入力検出手段、認識手段）
４、１０４、２０４  制御部
５、１０５、２０５  ディスプレイ（表示手段）
６、１０６、２０６  ネットワークインターフェース
７、１０７、２０７  ＣＰＵ（表示制御手段、移動処理手段、縮小処理手段、消去手段）
８、１０８、２０８  ネットワーク
９、１０９、２０９  表示阻害領域
１０、１１０、２１０  表示可能領域
１１、１２、１１１、１１２、２１１、２１２  表示阻害要因物
１３、１４、１５、１１３、１１４、１１５、２１３、２１４、２１５  テーブル使用者
１１６、２１６  画像入力器
２１７  制御パネル
２１８  ボタン
【図１】
2004271866.tif 000003
【図２】
2004271866.tif 000004
【図３】
2004271866.tif 000005
【図４】
2004271866.tif 000006
【図５】
2004271866.tif 000007
【図６】
2004271866.tif 000008
【図７】
2004271866.tif 000009
【図８】
2004271866.tif 000010
【図９】
2004271866.tif 000011
【図１０】
2004271866.tif 000012
【図１１】
2004271866.tif 000013
【図１２】
2004271866.tif 000014
【図１３】
2004271866.tif 000015